(57)【要約】  【課題】同一空間内の異なった位置に配置される、各々が単体として形成される複数の発光装置を音波により制御して、視覚に訴える大域的な演出を提供できる発光制御システムを提供することである。  【解決手段】ＬＥＤコントローラ１のトリガ装置２１はオペレータの操作に応じてトリガ信号を音波パターン記録装置２３に与える。音波パターン記録装置２３はトリガ信号に対応する音波パターンをミキサ２５に出力する。ミキサ２５は音波パターンの音量や出力バランスを調整してスーパーツイータ１７Ｌ，１７Ｒへ与える。スーパーツイータ１７Ｌ，１７Ｒは、音波パターンを空間に出力する。ＬＥＤブレスレット１９の各々は、ＭＣＵ３１によって、マイクロフォン２９で受け取った音波パターンに応じて、ＬＥＤ３３を制御する。【選択図】  図２
2014063593.tif 000002
【特許請求の範囲】
【請求項１】
各々が、音波に応答して個別に発光可能で、使用時に同一空間内の異なった位置に配置され、単体として形成される複数の発光装置と、
音波を生成して、前記音波を、前記空間に出力して、前記各発光装置の発光を制御する発光制御装置と、を備え、
前記発光装置の各々は、
発光手段と、
前記発光制御装置が前記空間に出力した前記音波を入力して、前記音波の強度、周波数、又は、パターンに応じて、前記発光手段の点灯及び消灯を制御する制御手段と、を含む発光制御システム。
【請求項２】
前記発光制御装置は、
音波を生成する音波生成手段と、
オペレータによる操作を受け付けて、前記音波生成手段が生成した前記音波の出力状態を制御する出力制御手段と、
前記出力状態が制御された前記音波を空間に出力する出力手段と、を含む請求項１記載の発光制御システム。
【請求項３】
前記出力制御手段による前記出力状態の制御は、前記音波の強度の制御及び／又は前記音波を複数チャンネルから出力する場合の出力バランスの制御である、請求項３記載の発光制御システム。
【請求項４】
前記音波生成手段は、
前記音波としての音波パターンを記録する記録手段を含む請求項２又は３記載の発光制御システム。
【請求項５】
前記音波生成手段は、
オペレータによる操作を受け付けて、前記記録手段に対して、前記オペレータが指定した前記音波パターンを出力することを指示する指示手段をさらに含む請求項４記載の発光制御システム。
【請求項６】
前記発光制御装置は、
音波を生成する音波生成手段と、
生成された前記音波を空間に出力する出力手段と、を含み、
前記音波生成手段は、
前記音波としての音波パターンを記録する記録手段と、
オペレータによる操作を受け付けて、前記記録手段に対して、前記オペレータが指定した前記音波パターンを出力することを指示する指示手段と、を含む請求項１記載の発光制御システム。
【請求項７】
前記音波パターンは、強度、周波数、持続時間、無音期間、又は、位相により定義された音波データである、請求項４から６のいずれかに記載の発光制御システム。
【請求項８】
前記音波を複数チャンネルから出力する場合、前記音波パターンは、前記チャンネルごとに設定される、請求項４から７のいずれかに記載の発光制御システム。
【請求項９】
前記発光制御装置は、不可聴域の音波を生成する、請求項１から８のいずれかに記載の発光制御システム。
【請求項１０】
不可聴域の音波に応答して発光可能な発光装置と、
不可聴域の音波を生成して、前記音波を、前記発光装置に与え、前記発光装置の発光を制御する発光制御装置と、を備え、
前記発光装置は、
発光手段と、
前記発光制御装置が与えた前記音波に応じて、前記発光手段の点灯及び消灯を制御する制御手段と、を含む発光制御システム。
【請求項１１】
音波に応答して発光可能な発光装置と、
音波を生成して、前記音波を、前記発光装置に与え、前記発光装置の発光を制御する発光制御装置と、を備え、
前記発光制御装置は、
オペレータによる操作を受け付けて、前記音波の出力状態を制御する出力制御手段を含み、
前記発光装置は、
発光手段と、
前記出力制御手段による制御を受けた前記音波を入力して、前記音波に応じて、前記発光手段の点灯及び消灯を制御する制御手段と、を含む発光制御システム。
【請求項１２】
音波に応答して発光可能な発光装置と、
音波を生成して、前記音波を、前記発光装置に与え、前記発光装置の発光を制御する発光制御装置と、を備え、
前記発光制御装置は、
前記音波としての音波パターンを記録する記録手段と、
オペレータによる操作を受け付けて、前記記録手段に対して、前記オペレータが指定した前記音波パターンを出力することを指示する指示手段と、を含み、
前記発光装置は、
発光手段と、
前記指示手段による指示で出力された前記音波を入力して、前記音波に応じて、前記発光手段の点灯及び消灯を制御する制御手段と、を含む発光制御システム。
【請求項１３】
各々個別に発光可能な複数の発光装置を制御する発光制御装置において、
各々が、音波に応答して発光可能で、同一空間内の異なった位置に配置され、単体として形成される前記複数の発光装置が配置される前記空間に、強度、周波数、又は、パターンにより決定される音波を出力することを特徴とする発光制御装置。
【請求項１４】
発光装置を制御する発光制御装置において、
不可聴域の音波に応答して発光可能な前記発光装置に、前記音波を与えることを特徴とする発光制御装置。
【請求項１５】
音波に応答して発光可能な発光装置を制御する発光制御装置において、
オペレータによる操作を受け付けて、前記発光装置に与える音波の出力状態を制御することを特徴とする発光制御装置。
【請求項１６】
音波に応答して発光可能な発光装置を制御する発光制御装置であって、
前記発光装置に与える音波としての音波パターンを記録する記録手段と、
オペレータによる操作を受け付けて、前記記録手段に対して、前記オペレータが指定した前記音波パターンを出力することを指示する指示手段と、を備える発光制御装置。
【請求項１７】
各々が、音波に応答して個別に発光可能で、同一空間内の異なった位置に配置され、単体として形成される複数の発光装置により発光装置群を形成し、
前記発光装置の各々は、
発光手段と、
音波の強度、周波数、又は、パターンに応じて、前記発光手段の点灯及び消灯を制御する制御手段と、を含む発光装置。
【請求項１８】
発光手段と、
不可聴域の音波に応じて、前記発光手段の点灯及び消灯を制御する制御手段と、を備える発光装置。
【請求項１９】
発光手段と、
オペレータによる操作により出力状態が制御された音波に応じて、前記発光手段の点灯及び消灯を制御する制御手段と、を備える発光装置。
【請求項２０】
発光手段と、
音波パターンを記録した記録手段から、オペレータによる操作により選択されて出力された前記音波パターンに応じて、前記発光手段の点灯及び消灯を制御する制御手段と、を備える発光装置。
【発明の詳細な説明】
【技術分野】
【０００１】
本発明は、発光装置の点灯及び消灯を遠隔操作で制御する発光制御システム及びその関連技術に関する。
【背景技術】
【０００２】
本件出願人による特許文献１の玩具では、家庭用テレビのスピーカから出力されるテレビ番組の音声の音階をコード送信装置が認識し、認識された音声が、予め用意された複数のフレーズのどれに一致するか判断する。そして、コード送信装置は、一致したフレーズに対応するコードを、赤外発光ダイオードを明滅させることによってコード受信装置に送信する。コード受信装置においては、赤外線受光モジュールがコード送信装置から送信された赤外線コードを受信し、受信したコードに基づいてＬＥＤの点滅およびスピーカからの音声の出力を行う。
【先行技術文献】
【特許文献】
【０００３】
【特許文献１】特開２００２−３４１８８６号公報
【発明の概要】
【発明が解決しようとする課題】
【０００４】
しかしながら、上記玩具では、家庭用テレビから出力されるテレビ番組の音声のフレーズに従って、棒状のコード受信装置の両端のＬＥＤが点滅するにすぎない。つまり、単体であるコード受信装置のＬＥＤが点滅するにすぎない。
【０００５】
また、例えば、演奏される楽曲とは別個に、人間が演奏を聞きながらマニュアルでＬＥＤ等の発光装置を制御して、光による演出を行ないたい場合もある。この場合、上記玩具のように、可聴域の音声により発光装置を制御したのでは、本来の演奏の邪魔をしてしまう。つまり、視覚に訴える演出を行うことによって、聴覚に訴えるイベントを妨害してしまう。
【０００６】
さらに、上記玩具では、時や場所が異なっていても、テレビ番組の音声のフレーズが同じならば、ＬＥＤの点滅パターンも同じである。つまり、各フレーズに対する点滅パターンは固定されている。従って、飽き易く、面白みに欠けると感じることもある。例えば、コンサート等において、観客が持って振るライトペン等の発光装置を制御する際、各フレーズに対して点滅パターンが固定されている場合は、その光による演出は、画一的でコンサート独特のライブ感を得ることができない。つまり、視覚に訴える演出を効果的に行うことができない。
【０００７】
そこで、本発明は、同一空間内の異なった位置に配置される、各々が単体として形成される複数の発光装置を音波により制御して、視覚に訴える大域的な演出を提供できる発光制御システム及びその関連技術を提供することを目的とする。
【０００８】
本発明の他の目的は、聴覚に訴えるイベントを妨害することなく、音波を利用した視覚に訴える演出を行うことができる発光制御システム及びその関連技術を提供することを目的とする。
【０００９】
本発明のさらに他の目的は、音波を利用した視覚に訴える演出を効果的に行うことができる発光制御システム及びその関連技術を提供することを目的とする。
【課題を解決するための手段】
【００１０】
本発明の第１の観点によれば、発光制御システムは、各々が、音波に応答して個別に発光可能で、使用時に同一空間内の異なった位置に配置され、単体として形成される複数の発光装置と、音波を生成して、前記音波を、前記空間に出力して、前記各発光装置の発光を制御する発光制御装置と、を備え、前記発光装置の各々は、発光手段と、前記発光制御装置が前記空間に出力した前記音波を入力して、前記音波の強度、周波数、又は、パターンに応じて、前記発光手段の点灯及び消灯を制御する制御手段と、を含む。
【００１１】
この構成によれば、同一空間内の異なった位置に配置される、各々が単体として形成される複数の発光装置を音波により制御して、視覚に訴える大域的な演出を提供できる。
【００１２】
この発光制御システムにおいて、前記発光制御装置は、音波を生成する音波生成手段と、オペレータによる操作を受け付けて、前記音波生成手段が生成した前記音波の出力状態を制御する出力制御手段と、前記出力状態が制御された前記音波を空間に出力する出力手段と、を含む。
【００１３】
この構成によれば、オペレータが出力制御手段を操作して、つまり、マニュアルで、音波の出力状態を制御できるので、音波を利用した視覚に訴える演出を効果的に行うことができる。
【００１４】
この発光制御システムにおいて、前記出力制御手段による前記出力状態の制御は、前記音波の強度の制御及び／又は前記音波を複数チャンネルから出力する場合の出力バランスの制御である。
【００１５】
この構成によれば、オペレータが出力制御手段を操作して、つまり、マニュアルで、強度（例えば音量）や出力バランス（例えば左右バランス）を制御できるので、音波を利用した視覚に訴える演出を効果的に行うことができる。
【００１６】
上記発光制御システムにおいて、前記音波生成手段は、前記音波としての音波パターンを記録する記録手段を含む。
【００１７】
この構成によれば、キーボード等による人間の操作では実現困難あるいは実現不可能な音波パターンを予め作成し、記録しておくことで、発光手段による多様な発光パターンを実現できる。
【００１８】
この発光制御システムにおいて、前記音波生成手段は、オペレータによる操作を受け付けて、前記記録手段に対して、前記オペレータが指定した前記音波パターンを出力することを指示する指示手段をさらに含む。
【００１９】
この構成によれば、オペレータが指示手段を操作して、つまり、マニュアルで、出力する音波パターンを選択できるので、音波を利用した視覚に訴える演出を効果的に行うことができる。
【００２０】
上記発光制御システムにおいて、前記発光制御装置は、音波を生成する音波生成手段と、生成された前記音波を空間に出力する出力手段と、を含み、前記音波生成手段は、前記音波としての音波パターンを記録する記録手段と、オペレータによる操作を受け付けて、前記記録手段に対して、前記オペレータが指定した前記音波パターンを出力することを指示する指示手段と、を含む。
【００２１】
この構成によれば、オペレータが指示手段を操作して、つまり、マニュアルで、出力する音波パターンを選択できるので、音波を利用した視覚に訴える演出を効果的に行うことができる。
【００２２】
上記発光制御システムにおいて、前記音波パターンは、強度、周波数、持続時間、無音期間、又は、位相により定義された音波データである。
【００２３】
この構成によれば、５つのパラメータにより、音波パターンを定義できるので、多様な音波パターンを作成でき、ひいては、発光手段による多様な発光パターンを実現できる。
【００２４】
上記発光制御システムにおいて、前記音波を複数チャンネルから出力する場合、前記音波パターンは、前記チャンネルごとに設定される。
【００２５】
この構成によれば、チャンネルごとに音波パターンが設定されるので、複数の発光手段による多様な発光パターンを実現できる。
【００２６】
上記発光制御システムにおいて、前記発光制御装置は、不可聴域の音波を生成する。
【００２７】
この構成によれば、不可聴域の音波により、発光装置が制御されるので、聴覚に訴えるイベント（例えば、ライブ演奏）を行っている最中においても、そのイベントを妨害することなく、視覚に訴える演出を行うことができる。
【００２８】
本発明の第２の観点によれば、発光制御システムは、不可聴域の音波に応答して発光可能な発光装置と、不可聴域の音波を生成して、前記音波を、前記発光装置に与え、前記発光装置の発光を制御する発光制御装置と、を備え、前記発光装置は、発光手段と、前記発光制御装置が与えた前記音波に応じて、前記発光手段の点灯及び消灯を制御する制御手段と、を含む。
【００２９】
この構成によれば、不可聴域の音波により、発光装置が制御されるので、聴覚に訴えるイベント（例えば、ライブ演奏）を行っている最中においても、そのイベントを妨害することなく、音波を利用した視覚に訴える演出を行うことができる。
【００３０】
本発明の第３の観点によれば、発光制御システムは、音波に応答して発光可能な発光装置と、音波を生成して、前記音波を、前記発光装置に与え、前記発光装置の発光を制御する発光制御装置と、を備え、前記発光制御装置は、オペレータによる操作を受け付けて、前記音波の出力状態を制御する出力制御手段を含み、前記発光装置は、発光手段と、前記出力制御手段による制御を受けた前記音波を入力して、前記音波に応じて、前記発光手段の点灯及び消灯を制御する制御手段と、を含む。
【００３１】
この構成によれば、オペレータが出力制御手段を操作して、つまり、マニュアルで、音波の出力状態を制御できるので、音波を利用した視覚に訴える演出を効果的に行うことができる。
【００３２】
本発明の第４の観点によれば、発光制御システムは、音波に応答して発光可能な発光装置と、音波を生成して、前記音波を、前記発光装置に与え、前記発光装置の発光を制御する発光制御装置と、を備え、前記発光制御装置は、前記音波としての音波パターンを記録する記録手段と、オペレータによる操作を受け付けて、前記記録手段に対して、前記オペレータが指定した前記音波パターンを出力することを指示する指示手段と、を含み、前記発光装置は、発光手段と、前記指示手段による指示で出力された前記音波を入力して、前記音波に応じて、前記発光手段の点灯及び消灯を制御する制御手段と、を含む。
【００３３】
この構成によれば、オペレータが指示手段を操作して、つまり、マニュアルで、出力する音波パターンを選択できるので、音波を利用した視覚に訴える演出を効果的に行うことができる。
【００３４】
本発明の第５の観点によれば、発光制御装置は、各々個別に発光可能な複数の発光装置を制御する発光制御装置において、各々が、音波に応答して発光可能で、同一空間内の異なった位置に配置され、単体として形成される前記複数の発光装置が配置される前記空間に、強度、周波数、又は、パターンにより決定される音波を出力することを特徴とする。
【００３５】
この構成によれば、上記第１の観点による発光制御システムと同様の効果を奏する。
【００３６】
本発明の第６の観点によれば、発光制御装置は、発光装置を制御する発光制御装置において、不可聴域の音波に応答して発光可能な前記発光装置に、前記音波を与えることを特徴とする。
【００３７】
この構成によれば、上記第２の観点による発光制御システムと同様の効果を奏する。
【００３８】
本発明の第７の観点によれば、発光制御装置は、音波に応答して発光可能な発光装置を制御する発光制御装置において、オペレータによる操作を受け付けて、前記発光装置に与える音波の出力状態を制御することを特徴とする。
【００３９】
この構成によれば、上記第３の観点による発光制御システムと同様の効果を奏する。
【００４０】
本発明の第８の観点によれば、発光制御装置は、音波に応答して発光可能な発光装置を制御する発光制御装置であって、前記発光装置に与える音波としての音波パターンを記録する記録手段と、オペレータによる操作を受け付けて、前記記録手段に対して、前記オペレータが指定した前記音波パターンを出力することを指示する指示手段と、を備える。
【００４１】
この構成によれば、上記第４の観点による発光制御システムと同様の効果を奏する。
【００４２】
本発明の第９の観点によれば、各々が、音波に応答して個別に発光可能で、同一空間内の異なった位置に配置され、単体として形成される複数の発光装置により発光装置群を形成し、前記発光装置の各々は、発光手段と、音波の強度、周波数、又は、パターンに応じて、前記発光手段の点灯及び消灯を制御する制御手段と、を含む。
【００４３】
この構成によれば、上記第１の観点による発光制御システムと同様の効果を奏する。
【００４４】
本発明の第１０の観点によれば、発光装置は、発光手段と、不可聴域の音波に応じて、前記発光手段の点灯及び消灯を制御する制御手段と、を備える。
【００４５】
この構成によれば、上記第２の観点による発光制御システムと同様の効果を奏する。
【００４６】
本発明の第１１の観点によれば、発光装置は、発光手段と、オペレータによる操作により出力状態が制御された音波に応じて、前記発光手段の点灯及び消灯を制御する制御手段と、を備える。
【００４７】
この構成によれば、上記第３の観点による発光制御システムと同様の効果を奏する。
【００４８】
本発明の第１２の観点によれば、発光装置は、発光手段と、音波パターンを記録した記録手段から、オペレータによる操作により選択されて出力された前記音波パターンに応じて、前記発光手段の点灯及び消灯を制御する制御手段と、を備える。
【００４９】
この構成によれば、上記第４の観点による発光制御システムと同様の効果を奏する。
【図面の簡単な説明】
【００５０】
【図１】本発明の実施の形態による発光制御システムを導入した演奏会場の全体構成を示すブロック図である。
【図２】図１のＬＥＤコントローラ１及びＬＥＤブレスレット１９の電気的構成を示す図である。
【図３】（ａ）図２の音波パターン記録装置２３に格納される音波パターンの第１の例を示す模式図である。（ｂ）音波パターンの第２の例を示す模式図である。（ｃ）音波パターンの第３の例を示す模式図である。
【図４】音波パターンの第４の例を示す模式図である。
【図５】同一持続時間ＯＴに出力される異なる周波数を持つ音波の説明図である。
【図６】図１のＬＥＤブレスレット１９の機能ブロック図である。
【発明を実施するための形態】
【００５１】
以下、本発明の実施の形態について、図面を参照しながら説明する。なお、図中、同一または相当部分については同一の参照符号を付してその説明を援用する。
【００５２】
図１は、本発明の実施の形態による発光制御システムを導入した演奏会場の全体構成を示すブロック図である。図１を参照して、この演奏会場には、ＬＥＤコントローラ（以下、単に「コントローラ」と呼ぶ。）１、左チャンネル用スーパーツイータ１７Ｌ、右チャンネル用スーパーツイータ１７Ｒ、複数のＬＥＤブレスレット（以下、単に「ブレスレット」と呼ぶ。）１９、ドラム３、ギター５、キーボード７、ベース９、ボーカル用マイクロフォン１１、ミキサ１３、左チャンネル用スピーカ１５Ｌ、及び右チャンネル用スピーカ１５Ｒが配置される。
【００５３】
左チャンネル用スーパーツイータ１７Ｌ及び右チャンネル用スーパーツイータ１７Ｒを区別して説明する必要がないときは、「スーパーツイータ１７」と表記する。左チャンネル用スピーカ１５Ｌ及び右チャンネル用スピーカ１５Ｒを区別して説明する必要がないときは、「スピーカ１５」と表記する。
【００５４】
コントローラ１、スーパーツイータ１７、及び複数のブレスレット１９は、発光制御システムを構成する。ブレスレット１９は、演奏会場の客席の観客が手首に装着する。つまり、各ブレスレット１９は、単体として形成され、使用時に同一空間内の異なった位置に配置される。
【００５５】
コントローラ１が生成した音（以下、「制御音」と呼ぶこともある。）はスーパーツイータ１７に与えられ、演奏会場の空間に出力される。各ブレスレット１９は、制御音に応答して個別に発光する。
【００５６】
本実施の形態では、制御音は、人間の不可聴域の周波数（例えば２０ｋＨｚ以上）を持つ音波（超音波）である。ただし、人間の不可聴域には個人差があり、制御音を、例えば１６ｋＨｚ以上の周波数を持つ音波とすることもできる。
【００５７】
さて、ボーカリスト（図示せず）の音声はマイクロフォン１１により電気信号に変換されミキサ１３に与えられる。ベース９の音はマイクロフォン（図示せず）により電気信号に変換されミキサ１３に与えられる。キーボード７が生成した音はミキサ１３に与えられる。ギター５の音はマイクロフォン（図示せず）により電気信号に変換されミキサ１３に与えられる。ドラム３の音はマイクロフォン（図示せず）により電気信号に変換されミキサ１３に与えられる。
【００５８】
ミキサ１３は、マイクロフォン１１、ベース９、キーボード７、ギター５、及びドラム３からの音のレベルやバランスを調整し混合して、スピーカ１５に与える。すると、スピーカ１５は、ミキサ１３からの音を演奏会場の空間に出力する。
【００５９】
図２は、図１のコントローラ１及びブレスレット１９の電気的構成を示す図である。図２を参照して、コントローラ１は、トリガ装置２１、音波パターン記録装置２３、及びミキサ２５を備える。ミキサ２５は、アンプ２７を含む。
【００６０】
各ブレスレット１９は、マイクロフォン２９、アンプ３０、ＭＣＵ（Ｍｉｃｒｏ  Ｃｏｎｔｒｏｌｌｅｒ  Ｕｎｉｔ）３１、発光ダイオード（ＬＥＤ）３３、及び電池（図示せず）を含む電源３５を備える。
【００６１】
本実施の形態では、コントローラ１のトリガ装置２１として、鍵盤楽器であるキーボードを使用する。オペレータによりトリガ装置２１の鍵盤が押下されると、その鍵盤に対応するトリガ信号が音波パターン記録装置２３に与えられる。鍵盤ごとに異なったトリガ信号が出力される。
【００６２】
音波パターン記録装置２３は、制御音として様々な音波パターンを格納する。音波パターン記録装置２３では、音波パターンは、それぞれ異なったトリガ信号と関連付けられている。従って、音波パターン記録装置２３は、トリガ装置２１から入力されるトリガ信号に応答して、当該トリガ信号に関連付けられた音波パターンをミキサ２５に出力する。なお、異なる複数の音波パターンに、１つのトリガ信号（鍵盤）を関連付けることもできる。
【００６３】
ミキサ２５は、オペレータにより操作され、入力レベル調整のためのノブ、パンニングのためのノブ、及びアンプ２７により音量を調整するためのフェーダー等を含み、入力された音波パターンは、これらによる調整後に、スーパーツイータ１７へ出力される。その結果、スーパーツイータ１７は、制御音としての音波パターンを、演奏会場の空間に出力する。
【００６４】
なお、トリガ装置２１のオペレータは、ミキサ２５のオペレータと同一であってもよいし、違ってもよい。
【００６５】
一方、ブレスレット１９のマイクロフォン２９は、スーパーツイータ１７が出力した制御音としての音波パターンを電気信号に変換し、アンプ３０に与える。アンプ３０は、電気信号に変換された音波パターンを増幅して、ＭＣＵ３１に出力する。ＭＣＵ３１は、音波パターンの強度、周波数、又は、パターン内容に応じて、ＬＥＤ３３の点灯及び消灯を制御する。なお、ＭＣＵ３１及びＬＥＤ３３は、電源３５から与えられる電源電圧により駆動する。
【００６６】
次に、音波パターン記録装置２３に格納される音波パターンの例を説明する。
【００６７】
図３（ａ）は、音波パターンの第１の例を示す模式図である。図３（ａ）を参照して、この音波パターン５０は、周波数が第１周波数、音量が第１音量値、持続時間ＯＴが第１所定値の音波５０−１である。音波パターン記録装置２３は、トリガ装置２１から、音波パターン５０に対応するトリガ信号を受信すると、音波パターン５０をミキサ２５に与える。この場合、音波パターン記録装置２３がトリガ信号を一旦検知すれば、そのトリガ信号が持続時間ＯＴの間継続して入力されなかった場合でも、音波５０−１は、持続時間ＯＴの間、出力され、それから停止する。
【００６８】
図３（ｂ）は、音波パターンの第２の例を示す模式図である。図３（ｂ）を参照して、音波パターン５２は、音波５２−１〜５２−５を、無音期間ＳＴを挟んで配置した音波パターンである。音波５２−１〜５２−５の各々は、周波数が第１周波数、音量が第１音量値、持続時間ＯＴが第１所定値の音波である。
【００６９】
ここで、音波５２−１〜５２−５を総称して「音波５２−ｎ」と表記する。
【００７０】
音波パターン記録装置２３は、トリガ装置２１から、音波パターン５２に対応するトリガ信号を受信すると、音波５２−ｎをミキサ２５に与える。この場合、音波パターン記録装置２３は、トリガ信号を継続して受信している限り、無音期間ＳＴを挟んだ音波５２−ｎをループして出力し続ける。そして、トリガ信号が入力されなくなったら、音波パターン記録装置２３は、音波５２−ｎを停止する。ただし、持続時間ＯＴの間に、トリガ信号が入力されなくなった場合でも、音波パターン記録装置２３は、その持続時間ＯＴの間は音波５２−ｎを出力し、その後停止する。
【００７１】
図３（ｃ）は、音波パターンの第３の例を示す模式図である。図３（ｃ）を参照して、音波パターン５４は、音波５４−１〜５４−５を、無音期間ＳＴを挟んで配置した音波パターンである。音波５４−１〜５４−５の音量は、それぞれ、第２〜第６音量値である。また、音波５４−１〜５４−５は、周波数が第１周波数、持続時間ＯＴが第１所定値の音波である。
【００７２】
ここで、音波５４−１〜５４−５を総称して「音波５４−ｎ」と表記する。
【００７３】
音波パターン記録装置２３は、トリガ装置２１から、音波パターン５４に対応するトリガ信号を受信すると、音波５４−ｎをミキサ２５に与える。この場合、音波パターン記録装置２３は、トリガ信号を継続して受信している限り、無音期間ＳＴを挟んだ音波５４−ｎを出力し続ける。そして、トリガ信号が入力されなくなったら、音波パターン記録装置２３は、音波５４−ｎを停止する。ただし、トリガ信号が継続して入力されている場合であっても、音波パターン記録装置２３は、最後の音波５４−５を持続時間ＯＴで出力した後は、音波の出力を停止する。また、どの音波５４−ｎであっても、持続時間ＯＴの間に、トリガ信号が入力されなくなった場合は、音波パターン記録装置２３は、その持続時間ＯＴの間は音波５２−ｎを出力し、その後停止する。
【００７４】
なお、音波パターン５０，５２及び５４は、それぞれ、右チャンネル及び左チャンネルで同じであるが、音波パターン記録装置２３には、左右それぞれに対して音波パターンが格納される。従って、左右で音波パターンは同じでも、左右でトリガ信号（鍵盤）は異なる。
【００７５】
図４は、音波パターンの第４の例を示す模式図である。図４を参照して、音波パターン５６は、右チャンネル用音波パターン及び左チャンネル用音波パターンからなる。右チャンネル用音波パターンは、音波５６Ｒ−１〜５６Ｒ−５を、無音期間ＳＴを挟んで配置した音波パターンである。左チャンネル用音波パターンは、音波５６Ｌ−１〜５６Ｌ−５を、無音期間ＳＴを挟んで配置した音波パターンである。音波５６Ｒ−１〜５６Ｒ−５の各々および音波５６Ｌ−１〜５６Ｌ−５の各々は、周波数が第１周波数、音量が第１音量値、持続時間ＯＴが第１所定値の音波である。
【００７６】
ただし、右チャンネル用音波パターンと左チャンネル用音波パターンとは、位相がずれている。この例では、右チャンネル用音波パターンの持続時間ＯＴは、左チャンネル用音波パターンの無音期間ＳＴと同じ長さであり、右チャンネル用音波パターンの無音期間ＳＴは、左チャンネル用音波パターンの持続時間ＯＴと同じ長さである。そして、右チャンネル用音波パターンと左チャンネル用音波パターンとは、持続時間ＯＴ（無音期間ＳＴ）と同じ時間（上記第１所定値）だけ位相がずれている。
【００７７】
ここで、音波５６Ｒ−１〜５６Ｒ−５を総称して「音波５６Ｒ−ｎ」と表記し、音波５６Ｌ−１〜５６Ｌ−５を総称して「音波５６Ｌ−ｎ」と表記する。
【００７８】
音波パターン記録装置２３は、トリガ装置２１から、音波パターン５６に対応するトリガ信号を受信すると、音波５６Ｒ−１の出力を開始する。この場合、音波パターン記録装置２３は、トリガ信号を継続して受信している限り、無音期間ＳＴを挟んだ音波５６Ｒ−ｎをループして出力し続ける。一方、音波パターン記録装置２３は、音波５６Ｒ−１の持続時間ＯＴの終了時に、音波５６Ｌ−１の出力を開始する。この場合、音波パターン記録装置２３は、トリガ信号を継続して受信している限り、無音期間ＳＴを挟んだ音波５６Ｌ−ｎをループして出力し続ける。
【００７９】
そして、トリガ信号が入力されなくなったら、音波パターン記録装置２３は、音波５６Ｒ−ｎ及び５６Ｌ−ｎを停止する。ただし、音波５６Ｒ−ｎの持続時間ＯＴの間に、トリガ信号が入力されなくなった場合でも、音波パターン記録装置２３は、その持続時間ＯＴの間は音波５６Ｒ−ｎを出力し、その後停止する。音波５６Ｌ−ｎについても同様である。
【００８０】
なお、音波パターン５６に対して１つのトリガ信号（鍵盤）が割り当てられる。この点、左右それぞれに対してトリガ信号が割り当てられる上記音波パターン５０，５２及び５４と異なる。
【００８１】
以上、音波パターン記録装置２３に格納される音波パターンを例示したが、音波パターンは、それらに限定されない。
【００８２】
ここで、持続時間ＯＴ、無音期間ＳＴ、周波数、音量（音圧）、および、位相は、それぞれ、音波パターンを定義するためのパラメータである。なお、音量は、音波の強度を表す指標の１つである。
【００８３】
音波パターン５０の音波５１−１の各パラメータは、任意の値に設定することができる。音波パターン５０は、パラメータを変えて、複数用意することができる。音波パターン記録装置２３は、トリガ信号の入力が持続時間ＯＴに停止した場合、直ちに、音波５１−１の出力を停止することもできる。音波パターン５０は、無音期間を設けることなしにループさせることもできる。つまり、この場合、トリガ信号が入力される限り、継続して、音波５０−１が出力され続ける。
【００８４】
音波パターン５２の音波５２−ｎの各パラメータは、任意の値に設定することができる。この場合、全音波５２−ｎで、パラメータを共通にすることもできるし、それぞれの音波５２−ｎでパラメータを異ならせることもできるし、それぞれの音波５２−ｎでパラメータを一部共通にし他を異ならせることもできる。また、音波５２−ｎのうち、第１の特定の音波のパラメータを共通にし、第２の特定の音波のパラメータを共通にし、第１の特定の音波と第２の特定の音波のパラメータを異ならせることもできる。音波５２−ｎをループさせることなく、Ｎ個（Ｎは２以上の整数）の音波５２−ｎの出力終了後に停止することもできる。音波パターン５２は、パラメータを変えて、複数用意することができる。
【００８５】
音波パターン５４は、音波パターン５２において、音波５２−ｎのそれぞれの音量を異ならせ、他のパラメータを全音波５２−ｎで同じにし、音波５２−ｎの数を５個とすることにより得られる音波パターンである。
【００８６】
音波パターン５０，５２及び５４は、それぞれ、右チャンネル及び左チャンネルに対して用意され、左右で異なるトリガ信号（鍵盤）が割り当てられた。ただし、音波パターン５０，５２及び５４を、それぞれ、右チャンネル及び左チャンネルに対して共通に用意し、左右で同一のトリガ信号（鍵盤）を割り当てることもできる。音波パターン５０，５２及び５４を、それぞれ、モノラル信号として用意することもできる。
【００８７】
音波パターン５６において、右用音波パターン及び左用音波パターンのそれぞれで別個に、パラメータを設定できる。例えば、左右で音波の持続時間ＯＴが重複してもよい。また、音波パターン５６では、パラメータとしての位相のずれ量があるが、この位相のずれ量も任意に設定できる。音波パターン５６は、パラメータを変えて、複数用意することができる。
【００８８】
上記例では、同じ持続時間ＯＴに出力される音波は１つの周波数を持つ音波であった。ただし、同じ持続時間ＯＴに、周波数の異なるＭ（Ｍは２以上の整数）個の音波を出力することもできる。つまり、このような音波からなる音波パターンを音波パターン記録装置２３に格納できる。
【００８９】
図５は、同一持続時間ＯＴに出力される異なる周波数を持つ音波の説明図である。図５を参照して、音波パターンにおいて、異なる周波数ｆ０及びｆ１を持つ音波５８及び６０が、同一持続時間ＯＴに出力されることができる。例えば、図３（ａ）の音波パターン５０において、音波５０−１は、周波数ｆ０及びｆ１を持つ音波からなる。例えば、図３（ｂ）の音波パターン５２において、音波５２−ｎの各々は、周波数ｆ０及びｆ１を持つ音波からなる。例えば、図４の音波パターン５６において、音波５６Ｒ−ｎの各々および５６Ｌ−ｎの各々は、周波数ｆ０及びｆ１を持つ音波からなる。
【００９０】
また、周波数ｆ０とｆ１との差Ｆは、ブレスレット１９のＬＥＤ３３の制御がうなりや差音の影響を極力受けないように設定される。
【００９１】
なお、異なる持続時間ＯＴのそれぞれの音波において、含まれる音波の周波数は個別に設定できる。例えば、図３（ｂ）の音波パターン５２において、音波５２−１を周波数ｆ０及びｆ１を持つ音波とし、音波５２−２を周波数ｆ３及びｆ４を持つ音波とすることもできる。
【００９２】
また、同じ持続時間ＯＴに、周波数帯域の異なるＬ（Ｌは２以上の整数）個の音波群を出力することもできる。つまり、このような音波群からなる音波パターンを音波パターン記録装置２３に格納できる。
【００９３】
ところで、ブレスレット１９のＭＣＵ３１は、マイクロフォン２９を介して、上記のような音波パターンに含まれる音波を受け取ると、持続時間ＯＴの間、ＬＥＤ３３をオンにし、無音期間ＳＴの間、ＬＥＤ３３をオフにする。
【００９４】
このように、上記音波パターンは、ＬＥＤ３３の点灯状態を制御するためのものであるが、ＬＥＤ３３を消灯させるための音波パターンを用意することもできる。つまり、ブレスレット１９のＭＣＵ３１は、マイクロフォン２９を介して、消灯のための音波パターンに含まれる音波を受け取ると、直ちに、ＬＥＤ３３をオフにする。
【００９５】
例えば、点灯状態を制御するための全音波パターンの全音波の周波数を同一とし（以下、「点灯周波数」と呼ぶ。）、消灯のための音波パターンは、図３（ａ）の音波パターン５０とし、その音波５０−１の周波数（以下、「消灯周波数」と呼ぶ。）は、点灯周波数と異なる周波数に設定する。
【００９６】
消灯のための音波パターンは、例えば、反響音等により、ブレスレット１９のＬＥＤ３３が点灯してしまった場合など、コントローラ１のオペレータが意図しないＬＥＤ３３の発光をオフにするために利用できる。また、例えば、消灯のための音波パターンは、点灯状態が持続する音波パターンを出力した後に、オペレータの所望の時に、消灯する場合など、積極的な演出の制御のために利用することもできる。
【００９７】
ところで、上記のように、本実施の形態では、音波によってブレスレット１９のＬＥＤ３３の発光を制御する。この場合、音波を出力するスーパーツイータ１７から各ブレスレット１９までの距離に応じて、音波の各ブレスレット１９までの到達時間が異なる。音波の速度（大気中の音速は約３４４ｍ／ｓ）は、光や電波に比べるとはるかに遅いし、光に対する音波伝播の遅延は（花火や雷など）、人間も容易に感じることができる。従って、全ブレスレット１９の発光が同一タイミングで制御されるのではなく、スーパーツイータ１７に近いブレスレット１９から遠いブレスレット１９に向かって順に発光が制御される様子を視認可能である。例えば、スーパーツイータ１７から放射状に広がる音波、つまり、音波伝播を、ＬＥＤ３３による光の波紋として視認することも可能である。
【００９８】
さて、以下では、点灯状態を制御するための全音波パターンの全音波の周波数を同一とし（点灯周波数）、ブレスレット１９の機能を説明する。
【００９９】
図６は、ブレスレット１９の機能ブロック図である。図６を参照して、ブレスレット１９は、音波受信部７０、Ａ／Ｄ変換部７２、デジタルフィルタ７４、判定部７６、ＬＥＤ制御部７８、及び、ＬＥＤ３３を備える。
【０１００】
音波受信部７０は、スーパーツイータ１７が出力した音波を受信し、アナログ電気信号に変換し増幅して、Ａ／Ｄ変換部７２に与える。Ａ／Ｄ変換部７２は、入力されたアナログ電気信号をデジタル信号に変換して、デジタルフィルタ７４に与える。デジタルフィルタ７４は、入力されたデジタル信号から、点灯周波数の音波成分を抽出して、判定部７６に与える。
【０１０１】
判定部７６は、入力された点灯周波数の音波成分の強度を、所定の閾値と比較し、比較結果（強度が閾値以上なら肯定判定、強度が閾値より小さいなら否定判定）をＬＥＤ制御部７８に与える。ＬＥＤ制御部７８は、判定部７６から与えられた比較結果が肯定判定を示している場合、ＬＥＤ３３をオンにする。一方、ＬＥＤ制御部７８は、判定部７６から与えられた比較結果が否定判定を示している場合、ＬＥＤ３３をオフにする。なお、ＬＥＤ制御部７８は、肯定判定が継続して与えられている限り、ＬＥＤ３３のオン状態を維持し、否定判定が与えられると、ＬＥＤ３３をオフにする。
【０１０２】
ここで、音波受信部７０は、マイクロフォン２９及びアンプ３０により実現される。Ａ／Ｄ変換部７２は、ＭＣＵ３１に内蔵されるＡ／Ｄコンバータ（図示せず）により実現される。デジタルフィルタ７４は、ＭＣＵ３１が、内蔵のメモリ（図示せず）に格納された、点灯周波数成分抽出プログラムを実行することにより実現される。判定部７６は、ＭＣＵ３１が、内蔵のメモリ（図示せず）に格納された、判定プログラムを実行することにより実現される。ＬＥＤ制御部７８は、ＭＣＵ３１が、内蔵のメモリ（図示せず）に格納された、ＬＥＤ制御プログラムを実行することにより実現される。
【０１０３】
以上の結果、トリガ装置２１のオペレータは、押鍵により、演奏される楽曲に合わせて、スーパーツイータ１７から様々な音波パターンを出力して、様々な態様で多数のブレスレット１９のＬＥＤ３３の発光を制御できる。また、ミキサ２５のオペレータは、フェーダーやノブ等を操作して、演奏される楽曲に合わせて、音量調整やパンニング等を行い、スーパーツイータ１７から音波パターンを出力して、様々な態様で多数のブレスレット１９のＬＥＤ３３の発光を制御できる。
【０１０４】
例えば、音波パターンをステレオで用意した場合は、ミキサ２５にて、右チャンネルのパンニングのノブは最大右に、左チャンネルのパンニングのノブは最大左に固定し、左右のフェーダーで任意に左右の音量を調整することによって、スーパーツイータ１７Ｒ，１７Ｌからの出力のバランスを調整する。例えば、音波パターンをモノラルで用意した場合は、ミキサ２５にて、パンニングのノブによって、スーパーツイータ１７Ｒ，１７Ｌからの出力のバランスを調整し、また、フェーダーで任意に音量を調整する。
【０１０５】
ミキサ２５による音量調整による演出の例を挙げる。
【０１０６】
例えば、左右チャンネルの音量を同時に徐々に上げていくと、スーパーツイータ１７から近いブレスレット１９から遠いブレスレット１９に向かって、順に、到達した音波の強度が上記閾値以上のレベルになる。従って、スーパーツイータ１７から近いブレスレット１９から遠いブレスレット１９に向かって、順に、ブレスレット１９のＬＥＤ３３が発光していく。
【０１０７】
例えば、左右チャンネルの音量をゼロにし、右チャンネルの音量を上げると、会場の右エリアのブレスレット１９のＬＥＤ３３だけを点灯でき、再び、右チャンネルの音量をゼロにして、左チャンネルの音量を上げると、会場の左エリアのブレスレット１９のＬＥＤ３３だけを点灯できる。
【０１０８】
このように、左右チャンネルの音量調整によって、左右方向及び奥行き方向でのブレスレット１９のＬＥＤ３３の発光を制御できる。
【０１０９】
なお、本明細書において、左右とは、スーパーツイータ１７から会場の観客を見た場合の左右であり、奥行きとは、スーパーツイータ１７から会場の観客を見た場合の奥である。
【０１１０】
ここで、例えば、スーパーツイータ１７の向きを任意に変更できるようにすることもできる。そして、スーパーツイータ１７をスポットライトの如く利用する。つまり、スーパーツイータ１７が向いているエリア（スポット）に音波が出力され、そのエリアのブレスレット１９のＬＥＤ３３だけを点灯させることができる。従って、スーパーツイータ１７の向きを変えることで、音波が出力されるエリアを変更でき、エリア単位で、点灯するブレスレット１９を変更できる。
【０１１１】
さて、以上のように、本実施の形態によれば、同一空間内の異なった位置に配置される、各々が単体として形成される複数のＬＥＤブレスレット１９を音波により制御して、視覚に訴える大域的な演出を提供できる。
【０１１２】
また、本実施の形態では、オペレータがミキサ２５を操作して、つまり、マニュアルで、音波の出力状態（強度（例えば音量）や出力バランス（例えば左右バランス））を制御できるので、音波を利用した視覚に訴える演出を効果的に行うことができる。
【０１１３】
また、本実施の形態では、キーボード等による人間の操作では実現困難あるいは実現不可能な音波パターンを予め作成し、音波パターン記録装置２３に記録しておくことで、ＬＥＤブレスレット１９による多様な発光パターンを実現できる。
【０１１４】
さらに、本実施の形態では、オペレータがトリガ装置２１を操作して、つまり、マニュアルで、出力する音波パターンを選択できるので、音波を利用した視覚に訴える演出を効果的に行うことができる。
【０１１５】
さらに、本実施の形態によれば、５つのパラメータ（強度、周波数、持続時間、無音期間、及び、位相）により、音波パターンを定義できるので、多様な音波パターンを作成でき、ひいては、ＬＥＤブレスレット１９による多様な発光パターンを実現できる。
【０１１６】
さらに、本実施の形態では、音波パターンは、左右のチャンネルごとに設定される。このように、左右のチャンネルごとに音波パターンが設定されるので、複数のＬＥＤブレスレット１９による多様な発光パターンを実現できる。つまり、会場の左エリアと右エリアとで、個別に、ＬＥＤブレスレット１９の発光を制御できる。
【０１１７】
さらに、本実施の形態によれば、音波パターンを不可聴域の音波で作成する。このように、不可聴域の音波により、ＬＥＤブレスレット１９が制御されるので、聴覚に訴えるイベント（例えば、ライブ演奏）を行っている最中においても、そのイベントを妨害することなく、視覚に訴える演出を行うことができる。
【０１１８】
なお、本発明は、上記の実施の形態に限られるものではなく、その要旨を逸脱しない範囲で種々の態様において実施することが可能であり、例えば、以下のような変形も可能である。
【０１１９】
（１）上記では、制御音（音波パターン）は、人間の不可聴域の周波数であった。ただし、人間の可聴域の周波数の制御音を使用することもできる。例えば、演奏の合間あるいは終了後において、コントローラ１のオペレータが、可聴域の制御音をもって、会場のブレスレット１９のＬＥＤ３３を制御する。
【０１２０】
（２）本明細書及び特許請求の範囲において、手段とは必ずしも物理的手段を意味するものではなく、各手段の機能がソフトウェアによって実現される場合も含む。さらに、１つの手段の機能が２つ以上の物理的手段により実現されても、もしくは２つ以上の手段の機能が１つの物理的手段により実現されてもよい。
【産業上の利用可能性】
【０１２１】
本発明は、ＬＥＤ等の発光手段を遠隔操作して、視覚に訴える演出を行うエンターテインメントないしは照明の分野に利用可能である。
【符号の説明】
【０１２２】
１…ＬＥＤコントローラ、３…ドラム、５…ギター、７…キーボード、９…ベース、１１…ボーカル用マイクロフォン、１３，２５…ミキサ、１５（１５Ｌ，１５Ｒ）…スピーカ、１７（１７Ｌ，１７Ｒ）…スーパーツイータ、１９…ＬＥＤブレスレット、２１…トリガ装置、２３…音波パターン記録装置、２７…アンプ、２９…マイクロフォン、３１…ＭＣＵ、３３…ＬＥＤ、３５…電源、５０，５２，５４，５６…音波パターン、５０−１，５２−ｎ（５２−１〜５２−５），５４−ｎ（５４−１〜５４−５），５６Ｒ−ｎ（５６Ｒ−１〜５６Ｒ−５），５６Ｌ−ｎ（５６Ｌ−１〜５６Ｌ−５），５８，６０…音波、７０…音波受信部、７２…Ａ／Ｄ変換部、７４…デジタルフィルタ、７６…判定部、７８…ＬＥＤ制御部。
【図１】
2014063593.tif 000003
【図２】
2014063593.tif 000004
【図３】
2014063593.tif 000005
【図４】
2014063593.tif 000006
【図５】
2014063593.tif 000007
【図６】
2014063593.tif 000008